(57)【要約】【課題】放射線測定装置の駆動電源を太陽光発電により発生させた電力により賄うものとすることにより、電源ケーブルの引き回しを不要とし、さらに、電池交換作業の煩雑さからも開放される放射線測定装置を提供する。【解決手段】放射線測定装置１０を雰囲気中の放射線を検出し、当該検出された放射線の線量又は放射能濃度を測定する放射線測定部１２と、太陽光エネルギーにより電力を発電し、当該発電された電力を放射線測定部１２に対し供給可能とする太陽光発電部１４と、太陽光発電部１４により発電された電力を予め蓄電しておき、当該蓄電された電力を放射線測定部１２に対し供給可能とする電力蓄電部１６と、太陽光発電部１４及び電力蓄電部１６のうち、何れか一方を選択し、当該選択した側から放射線測定部１２に対し電力を供給させるよう通電切替を行う電力供給制御部１８とを備えるものとした。【選択図】図１
0003172418.tif 000002
【実用新案登録請求の範囲】
【請求項１】
雰囲気中の放射線を検出し、当該検出された放射線の線量又は放射能濃度を測定する放射線測定部と、
太陽光エネルギーにより電力を発電し、当該発電された電力を前記放射線測定部に対し供給可能とする太陽光発電部と、
前記太陽光発電部により発電された電力を予め蓄電しておき、当該蓄電された電力を前記放射線測定部に対し供給可能とする電力蓄電部と、
前記太陽光発電部及び前記電力蓄電部のうち、何れか一方を選択し、当該選択した側から前記放射線測定部に対し電力を供給させるよう通電切替を行う電力供給制御部と、
を備えることを特徴とする放射線測定装置。
【請求項２】
前記太陽光発電部又は前記電力蓄電部から前記放射線測定部に対し供給される電力を予め交流電力へと変換し、当該交流電力を前記放射線測定部に対し供給するインバータがさらに備えられていることを特徴とする請求項１記載の放射線測定装置。
【請求項３】
前記放射線測定部、前記電力蓄電部、前記電力供給制御部及び前記インバータを１つの筐体内に配置したことを特徴とする請求項２記載の放射線測定装置。
【考案の詳細な説明】
【技術分野】
【０００１】
本考案は、屋外において、雰囲気中の放射線量当量率や、放射能汚染濃度を測定する放射線測定装置、特に、太陽光発電装置を利用した放射線測定装置に関するものである。
【背景技術】
【０００２】
従来から放射線の空間線量率等の連続測定には、例えば、市販されているエリアモニターが使用されている。このエリアモニターは、施設内外の空間線量率を連続的に測定するための装置で、予め設定した線量率を超えると警報を発生する仕組みとなっているため、放射線の測定及び監視に極めて有用な装置であるとされている。
【考案の概要】
【考案が解決しようとする課題】
【０００３】
しかしながら、従来のエリアモニターは、電池又は交流１００Ｖ電源で駆動させるものが多いため、例えば、公園等にエリアモニターを設置し、交流電源で駆動させるためには、電源ケーブルが必要となるが、その場合、人の往来によってケーブルが損傷し、ひいてはエリアモニターまでも損傷させるといった問題が生じてしまっていた。また、電池によりエリアモニターを駆動させる場合には、電池の消耗に伴い煩雑な電池交換作業が発生するという問題も指摘されている。
【０００４】
本考案は、上述の課題を解決するためのもので、放射線測定装置の駆動電源を太陽光発電により発生させた電力により賄うものとすることにより、電源ケーブルの引き回しを不要とし、さらに、電池交換作業の煩雑さからも開放される放射線測定装置を提供することにある。
【課題を解決するための手段】
【０００５】
上記課題に対応するため、本考案は、以下の技術的手段を講じている。
即ち、請求項１記載の考案は、雰囲気中の放射線を検出し、当該検出された放射線の線量又は放射能濃度を測定する放射線測定部と、太陽光エネルギーにより電力を発電し、当該発電された電力を前記放射線測定部に対し供給可能とする太陽光発電部と、前記太陽光発電部により発電された電力を予め蓄電しておき、当該蓄電された電力を前記放射線測定部に対し供給可能とする電力蓄電部と、前記太陽光発電部及び前記電力蓄電部のうち、何れか一方を選択し、当該選択した側から前記放射線測定部に対し電力を供給させるよう通電切替を行う電力供給制御部とを備えることを特徴とする放射線測定装置である。
【０００６】
また、請求項２記載の考案は、請求項１記載の放射線測定装置であって、前記太陽光発電部又は前記電力蓄電部から前記放射線測定部に対し供給される電力を予め交流電力へと変換し、当該交流電力を前記放射線測定部に対し供給するインバータがさらに備えられていることを特徴としている。さらに、請求項３記載の考案は、請求項２記載の放射線測定装置であって、前記放射線測定部、前記電力蓄電部、前記電力供給制御部及び前記インバータを１つの筐体内に配置したことを特徴としている。
【考案の効果】
【０００７】
請求項１記載の放射線測定装置は、雰囲気中の放射線を検出し、当該検出された放射線の線量又は放射能濃度を測定する放射線測定部と、太陽光エネルギーにより電力を発電し、当該発電された電力を前記放射線測定部に対し供給可能とする太陽光発電部と、前記太陽光発電部により発電された電力を予め蓄電しておき、当該蓄電された電力を前記放射線測定部に対し供給可能とする電力蓄電部と、前記太陽光発電部及び前記電力蓄電部のうち、何れか一方を選択し、当該選択した側から前記放射線測定部に対し電力を供給させるよう通電切替を行う電力供給制御部とを備えることを特徴としているため、放射線測定装置の設置の際に、電源ケーブルを引き回す必要がなく、また、太陽光発電により装置を駆動させることができるため、電源電池の交換も不要となり、設置場所を選ばず、連続運転が可能となることから、いつでも装置設置場所の雰囲気中における放射線の測定ができるようになる。さらに、広範囲の放射線の測定も連続して行うことができるようになる。
【０００８】
請求項２記載の放射線測定装置は、請求項１記載の放射線測定装置であって、前記太陽光発電部又は前記電力蓄電部から前記放射線測定部に対し供給される電力を予め交流電力へと変換し、当該交流電力を前記放射線測定部に対し供給するインバータがさらに備えられていることを特徴としているため、太陽光発電による直流電力を効率的に交流電力へと変換し、放射線測定部を駆動させることが可能となる。
【０００９】
またさらに、請求項３記載の放射線測定装置は、請求項２記載の放射線測定装置であって、前記放射線測定部、前記電力蓄電部、前記電力供給制御部及び前記インバータを１つの筐体内に配置したことを特徴としているため、放射線測定装置の設置作業が簡易なものとなり、また、放射線測定装置を移動させながら、放射線の検出を行うこともできるようになる。
【図面の簡単な説明】
【００１０】
【図１】本考案に係る放射線測定装置の実施形態を示す構成図である。
【図２】本考案に係る放射線測定装置の第１の実施形態を示した図である。
【図３】本考案に係る放射線測定装置の第２の実施形態を示した図である。
【考案を実施するための形態】
【００１１】
以下、本考案の実施形態について、図面を参照して説明する。
図１は、本考案に係る放射線測定装置の実施形態を示す構成図で、１０は放射線測定装置、１２は放射線測定部、１４は太陽光発電部、１６は電力蓄電部、１８は電力供給制御部、２０はインバータを示している。
【００１２】
まず、放射線測定装置１０には、雰囲気中の放射線を検出し、当該検出された放射線の線量又は放射能汚染濃度を測定する放射線測定部１２と、太陽光エネルギーにより電力を発電し、当該発電された電力を前記放射線測定部に対し供給可能とする太陽光発電部１４が備えられている。
【００１３】
また、太陽光発電部１４により発電された電力を蓄電することができる電力蓄電部１６が備えられており、予め、太陽光発電部１４が発電する電力を蓄電させておくことにより、太陽光発電部１４による放射線測定部１２に対する電力供給の代わりを担うことができるような構成となっている。
【００１４】
そして、放射線測定装置１０には、電力供給制御部１８が備えられており、放射線測定部１２に対する電力の供給源を太陽光発電部１４か、電力蓄電部１６かに通電切り替えすることができるようになっている。このような構成とすることで、通常は、太陽光発電部１４により電力を放射線測定部１２に対して供給させ、例えば、夕方以降、太陽光発電部１４による発電能力が低下してきた際に、電力蓄電部１６から放射線測定部１２に対して予め蓄電させておいた電力を供給させるように制御することができるため、昼間（日照時）の測定だけでなく、夜間（非日照時）も含めて連続的に測定を行うことができるわけである。
【００１５】
さらに、放射線測定装置１０には、太陽光発電部１４や電力蓄電部１６と、放射線測定部１２の間にインバータ２０が備えられており、太陽光発電部１４により発電される直流電力や、電力蓄電部１６に蓄電されている直流電力を予め交流電力へと変換し、この交流電力を駆動電力として、放射線測定部１２に対し供給することができるようになっている。なお、本実施形態では、インバータ２０を備えているが、直流電力によって駆動することができる放射線測定部１２を用いるのであれば、インバータ２０を用いなくても良い（図中の破線参照）。
【００１６】
続いて、本考案に係る放射線測定装置の第１の実施形態について、図面を参照しながら説明する。図２は、本考案に係る放射線測定装置の第１の実施形態を示した図で、付した符号は、２２が防塵・防滴ボックス、２４がポールである以外は、図１のものと同様である。
【００１７】
第１の実施形態における放射線測定装置１０は、例えば公園等の敷地内に立設させる柱型の放射線測定装置で、地面に埋め込むポール２４と、その中間辺りに設けられた防塵・防滴ボックス２２と、上部近傍に設けられた太陽光発電部１２が備えられている。
【００１８】
なお、防塵・防滴ボックス２２内には、図示はしないが、放射線測定部１２と、電力蓄電部１６、電力供給制御部１８、インバータ２０が備えられており、図１を参照しながら説明した動作及び制御が行われる。このような構成とすることにより、放射線測定装置を立設させる場所のスペースを小さなものにすることができるとともに、電池交換等のメンテナンス作業の煩雑さから解放されることに繋がる。なお、本実施形態では、ポール２４にて一体的な構成としているが、一体的な構成となるならば、ポール２４に依らなくても良い。
【００１９】
次に、本考案に係る放射線測定装置の第２の実施形態について、図面を参照しながら説明する。図３は、本考案に係る放射線測定装置の第２の実施形態を示した図で、付した符号は、２６が測定用作業着、２８が防護ケースである以外は、図１のものと同様である。
【００２０】
第２の実施形態における放射線測定装置１０は、放射線測定を行う作業者が、上半身に装着することができる放射線測定装置で、作業者が装着する測定用作業着２６と、その測定用作業着２６であって、作業者の背面側に設けられた太陽光発電部１２と、その下方に設けられた防護ケース２８と、防護ケース２８に接続された放射線測定部１２が備えられている。
【００２１】
なお、防護ケース２８内には、図示はしないが、電力蓄電部１４、電力供給制御部１８、インバータ２０が備えられており、第２の実施形態同様、図１を参照しながら説明した動作及び制御が行われる。また、太陽光発電部１２は、およそ３０ｃｍ×３０ｃｍ程度の大きさを確保できれば、放射線測定装置１０の駆動に支障のない電力が放射線測定部１２に対して供給することができる。そして、測定用作業着２６は、作業者が容易に着用できる形状であれば、どのような形状でも良く、例えば、ベストのようなものであれば、なお作業性の面で好適なものとなる。
【産業上の利用可能性】
【００２２】
本考案によれば、電源ケーブルを引き回す必要が無く、また、電源電池の交換も不要となるため、多様な設置場所において放射線を測定するに、好適に用いることができる。
【符号の説明】
【００２３】
１０  放射線測定装置
１２  放射線測定部
１４  太陽光発電部
１６  電力蓄電部
１８  電力供給制御部
２０  インバータ
２２  防塵・防滴ボックス
２４  ポール
２６  測定用作業着
２８  防護ケース
【図１】
0003172418.tif 000003
【図２】
0003172418.tif 000004
【図３】
0003172418.tif 000005